(57)【要約】      （修正有）【課題】身体の疾患腫瘍部を探索する手動式温熱治療器を提供する。【解決手段】温熱治療器は、身体内に深達力のある７μｍ〜１２μｍの有効波長の遠赤外線で放出量の半分を占める炭素系面発熱放射体を採用し、５０℃〜７０℃の高温でも身体皮膚下に深達させる。一方ガン細胞はエネルギーを大量に放出している波動を有し皮膚面からの遠赤外線と交差すると、強力な熱さの衝撃反応を感受する、この部位を探知し身体内腫瘍細胞を発見する治療器として提供する。【選択図】図１
0003145747.tif 000002
【実用新案登録請求の範囲】
【請求項１】
身体内に高温圧入し、疾患腫瘍部位を探索する温熱治療器において、５０℃〜７０℃範囲内温度で発熱させ、遠赤外線の熱放出量の約半分を占める７μｍ〜１２μｍ波長を放射する放射面には、炭素系面発熱体を内設させ、身体皮膚面から身体深部に放射治療を行うとき、強力なエネルギーの波動を発生するガン細胞と交差すると、強力な熱さの衝撃反応が起きる、該衝撃反応を感知し疾患腫瘍部を探知してなる手動式温熱治療器。
【請求項２】
前記請求項１において疾患腫瘍部位が探知された時、疾患腫瘍部位に集中して３７℃〜７０℃の炭素系面発熱体による遠赤外線熱を幾度も放射治療することで、腫瘍細胞の縮小効果又はガンの鎮痛緩和をもたらしてなる手動式温熱治療器。
【請求項３】
前記請求項１の放射面の先端部に円筒型突端部が具備されており、該突端部を身体の疾患部位に５０℃〜７０℃の温度を圧入させて、針、灸効果をもたらしてなる手動式温熱治療器。
【請求項４】
前記請求項１又は請求項２には治療器と電源プラグの中間部に、温度制御するコントローラーを具備し、該コントローラーには治療温度標示器を設け、放射温度の確認治療を可能にしてなる手動式温熱治療器。
【請求項５】
請求項１乃至請求項３の手動式放射体に、熱源として、ヒート線を採用し、７μｍ〜１２μｍの遠赤外線波長範囲を大量に放射する放射体の形態を、手のひら大の円形で中央部を湾出させた構成とし、放射機能は炭素系面抵抗体、セラミックスを採用してなる手動式温熱治療器。
【考案の詳細な説明】
【技術分野】
【０００１】    本考案は、５０℃〜７０℃の高温で放射する炭素系面発熱体による遠赤外線を応用し、７μｍ〜１２μｍの波長を発生させ、身体内の疾患腫瘍部を熱により探索する装置、又は熱治療により悪性疾患部の縮小又は消失効果をもたらす治療器に関する。
【背景技術】
【０００２】    本案の技術は、数年前から身体内疾患腫瘍部位を光線熱を適応し探知しようとする考え方はあった。しかし、具体的な構成又は形態が明確でなかった。従って、７μｍ〜１２μｍの有効な波長範囲で熱放出量の半分を占める遠赤外線を５０℃〜７０℃の高温で発生させて疾患腫瘍部位に照射し、痛烈な熱さの反応により探知する治療器具は本案が初めて提供する。
【考案の開示】
【考案が解決しょうとする課題】
【０００３】    昔から母親が子供が病気したとき患部を「手あて」で治した。又末期ガンの娘の背中を父親が「手あて」した。その時娘は「気持ち良かった」と感謝していた。
これは、人間の身体から遠赤外線熱を放射しているからである。
放射器具から放射する遠赤外線波長と人間から放射する遠赤外線波長が同一波長であれば、共鳴し有効な波長となる。しかし、疾患腫瘍部の細胞からは遠赤外線は放射してないため、皮膚下から５０℃〜７０℃の高温で遠赤外線を放射すると、疾患部からの波動と交差し痛烈な熱さで反応される。この理論を本案で具体化する
【課題を解決するための手段】
【０００４】    身体内部に深達力を有する遠赤外線の放射形態は、５０℃〜７０℃で７μｍ〜１２μｍの熱放出量の半分を占める遠赤外線であり。炭素系面発熱体が最も適応できる。疾患部位の探索装置（ア・チチ治療器）には最適である、更に温熱治療としても５０℃〜７０℃の高温治療が効果が高く、肥大した悪性腫瘍も小さくなりガンの痛みを緩和する効果を有する温熱治療器として提供する。
【０００５】
0003145747.tif 000003
【０００６】    請求項１は、身体内に５０℃〜７０℃範囲の高温で熱放出量の半分を占める波長範囲の遠赤外線の中で、７μｍ〜１２μｍが一番有効である。この放射体の形態は、炭素系面発熱体以外にない。この遠赤外線放射熱は身体内疾患部位まで深達する力を有する。この光線熱と、強力なエネルギーを発生している疾患腫瘍部位の波動とが交差すると強力な熱さの衝撃反応を起こす。この疾患腫瘍部を探知する手動式温熱療器を提供する。
【０００７】    請求項２は、前記請求項１において腫瘍部位が探知された時、疾患部位に集中して３７℃〜７０℃の遠赤外線熱を幾度も放射することで、ガン細胞の縮小効果又はガン鎮痛緩和をもたらす手動式温熱治療器を提供する。
【０００８】    請求項３は、請求項１の放射面の先端部に円筒型突端部が具備されており、この突端部を身体の疾患部位に５０℃〜７０℃の温度で圧入させ、疾患部位に針、灸効果をもたらしてなる手動式温熱治療器を提供する。
【０００９】    請求項４は、前記請求項１又は請求項２には治療器と電源プラグの中間部に温度制御するコントローラーを具備し、該コントローラーには治療温度標示器を設け、放射温度の確認治療を可能にしてなる手動式温熱治療器を提供する。
【００１０】    請求項５は、請求項１乃至請求項３の熱源は、ヒート線を採用し、７μｍ〜１２μｍの遠赤外線波長範囲を大量に放射する放射体の形態を、手のひら大の円形で中央部を湾出させた構成とし、放射機能は炭素系面発熱体、セラミックスを採用してなる手動式温熱治療器を提供する。
【考案の効果】
【００１１】    通常ガン細胞の発見は、一年一度の健康診断又は人間ドックで検査しないと発見されず、人によってガン細胞が肥大して手術できない事もある。
本装置は日常生活の中で治療することが可能で、ガンのみでなくあらゆる病気の疾患部位が発見できる。現在６０％の確率で発見されているが、国又は医療機関の推薦により家庭内でガンの発見が可能となり世界中の人がガンの早期発見ができる。
【実施例１】
【００１２】    例えば図１は、手動式温熱治療器Ａにおいて、片手で治療する放射体Ｂは、炭素系カーボン面発熱体Ｃを熱源として、治療面を長方ＢＯＸ型構成とし５ｃｍ×１５ｃｍ大に軽量型とし、支持固定板ｂと共にｃの把持部を片手で持ち、皮膚に接触させ治療する。放射体Ｂの先端は円筒形の突出治療部Ｄで針、灸治療も可能な装置とした。発熱体Ｃからの放射温度は温度検出素子により放射板Ｂ又はコントローラーｆの温度標示器ａに信号標示される。発熱体Ｃから電源コードｅとの中間にあるコントローラーｆには温度制御ａ−１と温度標示器ａが具備され電源プラグｇで差し込み通電される。
【産業上の利用可能性】
【００１３】    現在ガンの発見が遅れ手術ができなく、入院中の患者が３ヶ月経過すると自宅療法を余儀なくされてる。このような患者が３０万人いると言われています。
又２０年後には４人に１人はガンで死亡するとまで報道されています。
ガンは早期発見すれば６０％の人は完治しています。本案治療器で多くの患者が早期発見できれば画期的な治療法と言える。
【図面の簡単な説明】
【００１４】
【図１】  手動式温熱治療器の斜面図である。
【符号の説明】
【００１５】  Ａ…温熱治療器
Ｂ…放射体
Ｃ…カーボン発熱体
Ｄ…突出治療部
ａ…温度標示板
ａー１…温度制御板
ｂ…固定板
ｃ…把持材
ｅ…電源コード
ｆ…コントローラー
ｇ…プラグ
【図１】
0003145747.tif 000004
【手続補正書】
【提出日】平成20年7月22日(2008.7.22)
【手続補正１】
【補正対象書類名】実用新案登録請求の範囲
【補正対象項目名】全文
【補正方法】変更
【補正の内容】
【実用新案登録請求の範囲】
【請求項１】
本考案は、身体の疾患腫瘍部位を探索する温熱治療器において、深達力を有する遠赤外線放射体は、手のひら大で湾曲した長方形の形状で先端部を円筒型に突出させた構造の放射部とし、皮膚接触面をステンレス板で背面に炭素系面発熱体を内設させた放射体構成とし、該炭素系面発熱体から放射する温度を５０℃〜７０℃の高温にして、遠赤外線の熱放出量の半分を占める７μｍ〜１２μｍ波長を身体に放射することにより、腫瘍細胞から放射する異なる波動と交流し、放射皮膚面に衝撃反応が生じる、該衝撃反応で腫瘍部位が探知されてなる手動式温熱治療器。
【請求項２】
前記請求項１において疾患部位が探知された時、疾患部位に集中してコントローラーで炭素系面発熱体から放射する温度を３７℃〜７０℃範囲で制御し、低温で幾度も繰り返し把持部で圧入し温熱治療することで腫瘍細胞の縮小又は消滅させてなる手動式温熱治療器。
【請求項３】
前記請求項１の長方形で先端を円筒型に突出させた放射部を、疾患腫瘍部位が探知された位置に集中して、コントローラーで５０℃〜７０℃の高温度で放射し圧入することで、針、灸効果をもたらしてなる手動式温熱治療器。
【請求項４】
前記請求項１又は請求項２には、治療器と電源プラグとの中間部に、温度制御するコントローラーを具備し、該コントローラーには治療温度標示器、ＯＮ・ＯＦＦスイッチを備え、放射温度の確認治療をしてなる手動式温熱治療器。
【手続補正２】
【補正対象書類名】明細書
【補正対象項目名】０００６
【補正方法】変更
【補正の内容】
【０００６】    請求項１は、身体の疾患腫瘍部位を探索する温熱治療器において、深達力を有する遠赤外線放射体は、手のひら大で湾曲した長方形の形状で先端部を円筒型に突出させた構造の放射部とし、皮膚接触面をステンレス板で背面に炭素系面発熱体を内設させた放射体構成とし、該炭素系面発熱体から放射する温度を５０℃〜７０℃にすることで、遠赤外線の熱放出量の半分を占める７μｍ〜１２μｍ波長を身体に放射することにより、腫瘍細胞からの異なる波動と交流すると放射皮膚面に強力な熱さの衝撃反応を起こす。この疾患腫瘍部位を探知する手動式温熱治療器を提供する。
【手続補正３】
【補正対象書類名】明細書
【補正対象項目名】０００７
【補正方法】変更
【補正の内容】
【０００７】    請求項２は前記請求項１において疾患部位が探知された時、疾患部位に集中してコントローラーで炭素系面発熱体から放射する３７℃〜７０℃の温度を制御し、低温で幾度も繰り返し把持部で圧入し温熱治療することで腫瘍細胞の縮小又は消滅してなる手動式温熱治療器を提供する。
【手続補正４】
【補正対象書類名】明細書
【補正対象項目名】０００８
【補正方法】変更
【補正の内容】
【０００８】    請求項３は前記請求項１の長方形で先端を円筒型に突出させた放射部を、前記請求項１で疾患腫瘍部位が探知された位置又は神経痛、打撲痛に集中して、円筒型に突出した放射部をコントローラーで５０℃〜７０℃の高温度にして圧入することで、針、灸効果をもたらしてなる手動式温熱治療器を提供する。
【手続補正５】
【補正対象書類名】明細書
【補正対象項目名】０００９
【補正方法】変更
【補正の内容】
【０００９】  請求項４は前記請求項１又は請求項２には、治療器と電源プラグとの中間部に、温度制御するコントローラーを具備し、該コントローラーには治療温度標示器、ＯＮ・ＯＦＦスイッチを備え、放射温度の確認治療を可能にしてなる手動式温熱治療器。
【手続補正６】
【補正対象書類名】明細書
【補正対象項目名】００１０
【補正方法】削除
【補正の内容】
【手続補正７】
【補正対象書類名】明細書
【補正対象項目名】００１５
【補正方法】変更
【補正の内容】
【００１５】Ａ…温熱治療器
Ｂ…ステンレス板
Ｃ…カーボン面発熱体
Ｄ…突出治療部
ａ…温度標示板
ａー１…温度制御板
ｂ…固定板
ｃ…把持部
ｅ…電源コード
ｆ…コントローラー
ｇ…プラグ